【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
（Ａ）顔料分散剤と、（Ｂ）顔料と、（Ｆ）溶媒とを有する顔料分散液であって、前記（Ａ）顔料分散剤が、下記一般式（Ｉ）で表される含窒素複素環基含有モノマーと、ポリマー鎖及びその末端にエチレン性不飽和二重結合を有する基からなる重合性オリゴマーとを共重合成分として含有するグラフト共重合体であり、さらに前記含窒素複素環基含有モノマーが有する含窒素複素環基と下記一般式（ＩＩ）及び／又は下記一般式（ＩＩＩ）で表される有機酸化合物とが塩を形成したグラフト共重合体であることを特徴とするカラーフィルタ用顔料分散液。
【化１】
2010237608.tif 000001
【化２】
2010237608.tif 000002
［式（Ｉ）〜（ＩＩＩ）中、Ｒ１は水素原子又はメチル基、Ｑは、置換基を有していても良い酸と塩形成可能な含窒素複素環基を表す。Ａは２価の基、又は直接結合である。
Ｒ２及びＲ２’は、それぞれ独立に水素原子、水酸基、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、−［（ＣＨ２）ｂ−Ｏ］ｃ−Ｒ８、又は−Ｏ−Ｒ２”で示される１価の基であり、Ｒ２及びＲ２’のいずれかは炭素原子を含む。Ｒ２”は、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、又は−［（ＣＨ２）ｂ−Ｏ］ｃ−Ｒ８で示される１価の基である。
Ｒ３は、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、−［（ＣＨ２）ｂ−Ｏ］ｃ−Ｒ８、又は−Ｏ−Ｒ３’で示される１価の基である。Ｒ３’は、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、又は−［（ＣＨ２）ｂ−Ｏ］ｃ−Ｒ８で示される１価の基である。
Ｒ６及びＲ７は、それぞれ独立に水素原子又はメチル基であり、Ｒ８は、水素原子、あるいは炭素数１〜１８のアルキル基、炭素数２〜１８のアルケニル基、アラルキル基、アリール基、−ＣＨＯ、−ＣＨ２ＣＨＯ、−ＣＯ−ＣＨ＝ＣＨ２、−ＣＯ−Ｃ（ＣＨ３）＝ＣＨ２又は−ＣＨ２ＣＯＯＲ９で示される１価の基であり、Ｒ９は水素原子又は炭素数１〜５のアルキル基である。
Ｒ２、Ｒ２’、Ｒ２”、Ｒ３、Ｒ３’、及びＲ８において、アルキル基、アルケニル基、アラルキル基、アリール基は置換基を有していても良い。
ａは１〜１８の整数、ｂは１〜５の整数、ｃは１〜１８の整数を示す。］
【請求項２】
前記重合性オリゴマーの前記ポリマー鎖が、下記一般式（ＩＶ）又は一般式（Ｖ）で表される構成単位を少なくとも１種有するものである請求項１に記載のカラーフィルタ用顔料分散液。
【化３】
2010237608.tif 000003
［式（ＩＶ）及び（Ｖ）中、Ｒ１’は水素原子又はメチル基であり、Ｒ４は炭素数１〜１８のアルキル基、アラルキル基、アリール基、シアノ基、−［ＣＨ（Ｒ１０）−ＣＨ（Ｒ１１）−Ｏ］ｘ−Ｒ１２、−［（ＣＨ２）ｙ−Ｏ］ｚ−Ｒ１２、−［ＣＯ−（ＣＨ２）ｙ−Ｏ］ｚ−Ｒ１２、−ＣＯ−Ｏ−Ｒ４’又は−Ｏ−ＣＯ−Ｒ１３で示される１価の基である。
Ｒ４’は、炭素数１〜１８のアルキル基、アラルキル基、アリール基、シアノ基、−［ＣＨ（Ｒ１０）−ＣＨ（Ｒ１１）−Ｏ］ｘ−Ｒ１２、−［（ＣＨ２）ｙ−Ｏ］ｚ−Ｒ１２、−［ＣＯ−（ＣＨ２）ｙ−Ｏ］ｚ−Ｒ１２で示される１価の基である。
Ｒ１０及びＲ１１は、それぞれ独立に水素原子又はメチル基であり、Ｒ１２は、水素原子、あるいは炭素数１〜１８のアルキル基、アラルキル基、アリール基、−ＣＨＯ、−ＣＨ２ＣＨＯ又は−ＣＨ２ＣＯＯＲ９で示される１価の基であり、Ｒ９は水素原子又は炭素数１〜５のアルキル基であり、Ｒ１３は、炭素数１〜１８のアルキル基を示す。
Ｒ４、Ｒ４’、及びＲ１２において、アルキル基、アラルキル基、アリール基は置換基を有していても良い。
ｌは１〜５の整数、ｍ及びｍ’は５〜２００の整数を示す。ｘは１〜１８の整数、ｙは１〜５の整数、ｚは１〜１８の整数を示す。］
【請求項３】
前記重合性オリゴマーの前記エチレン性不飽和二重結合を有する基が、（メタ）アクリロイル基、ビニル基、又はアリル基である請求項１又は２に記載のカラーフィルタ用顔料分散液。
【請求項４】
前記一般式（ＩＩ）におけるＲ２及び／又はＲ２’、並びに／或いは、前記一般式（ＩＩＩ）におけるＲ３が、重合性基又は置換基を有していても良いアリール基又はアラルキル基を有するものである請求項１〜３のいずれかに記載のカラーフィルタ用顔料分散液。
【請求項５】
前記重合性基が（メタ）アクリロイル基、ビニル基、又はアリル基である請求項４に記載のカラーフィルタ用顔料分散液。
【請求項６】
（Ｂ）顔料の平均粒径が、１０〜１００ｎｍである請求項１〜５のいずれかに記載のカラーフィルタ用顔料分散液。
【請求項７】
（Ａ）顔料分散剤として、下記一般式（Ｉ）で表される含窒素複素環基含有モノマーと、ポリマー鎖及びその末端にエチレン性不飽和二重結合を有する基からなる重合性オリゴマーとを共重合成分として含有するグラフト共重合体であり、さらに前記含窒素複素環基含有モノマーが有する含窒素複素環基と下記一般式（ＩＩ）及び／又は下記一般式（ＩＩＩ）で表される有機酸化合物とが塩を形成したグラフト共重合体を準備する工程と、
（Ｆ）溶媒中に、前記（Ａ）顔料分散剤と、（Ｂ）顔料とを添加し、顔料を分散させる工程を有する、カラーフィルタ用顔料分散液の製造方法。
【化４】
2010237608.tif 000004
【化５】
2010237608.tif 000005
［式（Ｉ）〜（ＩＩＩ）中、Ｒ１は水素原子又はメチル基、Ｑは、置換基を有していても良い酸と塩形成可能な含窒素複素環基を表す。Ａは２価の基、又は直接結合である。
Ｒ２及びＲ２’は、それぞれ独立に水素原子、水酸基、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、−［（ＣＨ２）ｂ−Ｏ］ｃ−Ｒ８、又は−Ｏ−Ｒ２”で示される１価の基であり、Ｒ２及びＲ２’のいずれかは炭素原子を含む。Ｒ２”は、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、又は−［（ＣＨ２）ｂ−Ｏ］ｃ−Ｒ８で示される１価の基である。
Ｒ３は、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、−［（ＣＨ２）ｂ−Ｏ］ｃ−Ｒ８、又は−Ｏ−Ｒ３’で示される１価の基である。Ｒ３’は、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、又は−［（ＣＨ２）ｂ−Ｏ］ｃ−Ｒ８で示される１価の基である。
Ｒ６及びＲ７は、それぞれ独立に水素原子又はメチル基であり、Ｒ８は、水素原子、あるいは炭素数１〜１８のアルキル基、炭素数２〜１８のアルケニル基、アラルキル基、アリール基、−ＣＨＯ、−ＣＨ２ＣＨＯ、−ＣＯ−ＣＨ＝ＣＨ２、−ＣＯ−Ｃ（ＣＨ３）＝ＣＨ２又は−ＣＨ２ＣＯＯＲ９で示される１価の基であり、Ｒ９は水素原子又は炭素数１〜５のアルキル基である。
Ｒ２、Ｒ２’、Ｒ２”、Ｒ３、Ｒ３’、及びＲ８において、アルキル基、アルケニル基、アラルキル基、アリール基は置換基を有していても良い。
ａは１〜１８の整数、ｂは１〜５の整数、ｃは１〜１８の整数を示す。］
【請求項８】
（Ａ）顔料分散剤と、（Ｂ）顔料と、（Ｃ）アルカリ可溶性樹脂と、（Ｄ）多官能性モノマーと、（Ｅ）光開始剤と、（Ｆ）溶媒とを有するカラーフィルタ用ネガ型レジスト組成物であって、前記（Ａ）顔料分散剤が、下記一般式（Ｉ）で表される含窒素複素環基含有モノマーと、ポリマー鎖及びその末端にエチレン性不飽和二重結合を有する基からなる重合性オリゴマーとを共重合成分として含有するグラフト共重合体であり、さらに前記含窒素複素環基含有モノマーが有する含窒素複素環基と下記一般式（ＩＩ）及び／又は下記一般式（ＩＩＩ）で表される有機酸化合物とが塩を形成したグラフト共重合体であることを特徴とするカラーフィルタ用ネガ型レジスト組成物。
【化６】
2010237608.tif 000006
【化７】
2010237608.tif 000007
［式（Ｉ）〜（ＩＩＩ）中、Ｒ１は水素原子又はメチル基、Ｑは、置換基を有していても良い酸と塩形成可能な含窒素複素環基を表す。Ａは２価の基、又は直接結合である。
Ｒ２及びＲ２’は、それぞれ独立に水素原子、水酸基、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、−［（ＣＨ２）ｂ−Ｏ］ｃ−Ｒ８、又は−Ｏ−Ｒ２”で示される１価の基であり、Ｒ２及びＲ２’のいずれかは炭素原子を含む。Ｒ２”は、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、又は−［（ＣＨ２）ｂ−Ｏ］ｃ−Ｒ８で示される１価の基である。
Ｒ３は、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、−［（ＣＨ２）ｂ−Ｏ］ｃ−Ｒ８、又は−Ｏ−Ｒ３’で示される１価の基である。Ｒ３’は、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、又は−［（ＣＨ２）ｂ−Ｏ］ｃ−Ｒ８で示される１価の基である。
Ｒ６及びＲ７は、それぞれ独立に水素原子又はメチル基であり、Ｒ８は、水素原子、あるいは炭素数１〜１８のアルキル基、炭素数２〜１８のアルケニル基、アラルキル基、アリール基、−ＣＨＯ、−ＣＨ２ＣＨＯ、−ＣＯ−ＣＨ＝ＣＨ２、−ＣＯ−Ｃ（ＣＨ３）＝ＣＨ２又は−ＣＨ２ＣＯＯＲ９で示される１価の基であり、Ｒ９は水素原子又は炭素数１〜５のアルキル基である。
Ｒ２、Ｒ２’、Ｒ２”、Ｒ３、Ｒ３’、及びＲ８において、アルキル基、アルケニル基、アラルキル基、アリール基は置換基を有していても良い。
ａは１〜１８の整数、ｂは１〜５の整数、ｃは１〜１８の整数を示す。］
【請求項９】
前記重合性オリゴマーの前記ポリマー鎖が、下記一般式（ＩＶ）又は一般式（Ｖ）で表される構成単位を少なくとも１種有するものである請求項８に記載のカラーフィルタ用ネガ型レジスト組成物。
【化８】
2010237608.tif 000008
［式（ＩＶ）及び（Ｖ）中、Ｒ１’は水素原子又はメチル基であり、Ｒ４は炭素数１〜１８のアルキル基、アラルキル基、アリール基、シアノ基、−［ＣＨ（Ｒ１０）−ＣＨ（Ｒ１１）−Ｏ］ｘ−Ｒ１２、−［（ＣＨ２）ｙ−Ｏ］ｚ−Ｒ１２、−［ＣＯ−（ＣＨ２）ｙ−Ｏ］ｚ−Ｒ１２、−ＣＯ−Ｏ−Ｒ４’又は−Ｏ−ＣＯ−Ｒ１３で示される１価の基である。
Ｒ４’は、炭素数１〜１８のアルキル基、アラルキル基、アリール基、シアノ基、−［ＣＨ（Ｒ１０）−ＣＨ（Ｒ１１）−Ｏ］ｘ−Ｒ１２、−［（ＣＨ２）ｙ−Ｏ］ｚ−Ｒ１２、−［ＣＯ−（ＣＨ２）ｙ−Ｏ］ｚ−Ｒ１２で示される１価の基である。
Ｒ１０及びＲ１１は、それぞれ独立に水素原子又はメチル基であり、Ｒ１２は、水素原子、あるいは炭素数１〜１８のアルキル基、アラルキル基、アリール基、−ＣＨＯ、−ＣＨ２ＣＨＯ又は−ＣＨ２ＣＯＯＲ９で示される１価の基であり、Ｒ９は水素原子又は炭素数１〜５のアルキル基であり、Ｒ１３は、炭素数１〜１８のアルキル基を示す。
Ｒ４、Ｒ４’、及びＲ１２において、アルキル基、アラルキル基、アリール基は置換基を有していても良い。
ｌは１〜５の整数、ｍ及びｍ’は５〜２００の整数を示す。ｘは１〜１８の整数、ｙは１〜５の整数、ｚは１〜１８の整数を示す。］
【請求項１０】
前記重合性オリゴマーの前記エチレン性不飽和二重結合を有する基が、（メタ）アクリロイル基、ビニル基、又はアリル基である請求項８又は９に記載のカラーフィルタ用ネガ型レジスト組成物。
【請求項１１】
前記一般式（ＩＩ）におけるＲ２及び／又はＲ２’、並びに／或いは、前記一般式（ＩＩＩ）におけるＲ３が、重合性基又は置換基を有していても良いアリール基又はアラルキル基を有するものである請求項８〜１０のいずれかに記載のカラーフィルタ用ネガ型レジスト組成物。
【請求項１２】
前記重合性基が（メタ）アクリロイル基、ビニル基、又はアリル基である請求項１１に記載のカラーフィルタ用ネガ型レジスト組成物。
【請求項１３】
（Ｂ）顔料の平均粒径が、１０〜１００ｎｍである請求項８〜１２のいずれかに記載のカラーフィルタ用ネガ型レジスト組成物。
【請求項１４】
（Ａ）顔料分散剤として、下記一般式（Ｉ）で表される含窒素複素環基含有モノマーと、ポリマー鎖及びその末端にエチレン性不飽和二重結合を有する基からなる重合性オリゴマーとを共重合成分として含有するグラフト共重合体であり、さらに前記含窒素複素環基含有モノマーが有する含窒素複素環基と下記一般式（ＩＩ）及び／又は下記一般式（ＩＩＩ）で表される有機酸化合物とが塩を形成したグラフト共重合体を準備する工程と、
（Ｆ）溶媒中に、前記（Ａ）顔料分散剤と、（Ｂ）顔料とを添加し、顔料を分散させて顔料分散液を調製する工程と、
前記工程で得られた顔料分散液に、（Ｃ）アルカリ可溶性樹脂と、（Ｄ）多官能性モノマーと、（Ｅ）光開始剤とを添加し混合する工程を有する、カラーフィルタ用ネガ型レジスト組成物の製造方法。
【化９】
2010237608.tif 000009
【化１０】
2010237608.tif 000010
［式（Ｉ）〜（ＩＩＩ）中、Ｒ１は水素原子又はメチル基、Ｑは、置換基を有していても良い酸と塩形成可能な含窒素複素環基を表す。Ａは２価の基、又は直接結合である。
Ｒ２及びＲ２’は、それぞれ独立に水素原子、水酸基、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、−［（ＣＨ２）ｂ−Ｏ］ｃ−Ｒ８、又は−Ｏ−Ｒ２”で示される１価の基であり、Ｒ２及びＲ２’のいずれかは炭素原子を含む。Ｒ２”は、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、又は−［（ＣＨ２）ｂ−Ｏ］ｃ−Ｒ８で示される１価の基である。
Ｒ３は、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、−［（ＣＨ２）ｂ−Ｏ］ｃ−Ｒ８、又は−Ｏ−Ｒ３’で示される１価の基である。Ｒ３’は、炭素数１〜１８のアルキル基、炭素数２〜１８のアルケニル基、アラルキル基、アリール基、−［ＣＨ（Ｒ６）−ＣＨ（Ｒ７）−Ｏ］ａ−Ｒ８、又は−［（ＣＨ２）ｂ−Ｏ］ｃ−Ｒ８で示される１価の基である。
Ｒ６及びＲ７は、それぞれ独立に水素原子又はメチル基であり、Ｒ８は、水素原子、あるいは炭素数１〜１８のアルキル基、炭素数２〜１８のアルケニル基、アラルキル基、アリール基、−ＣＨＯ、−ＣＨ２ＣＨＯ、−ＣＯ−ＣＨ＝ＣＨ２、−ＣＯ−Ｃ（ＣＨ３）＝ＣＨ２又は−ＣＨ２ＣＯＯＲ９で示される１価の基であり、Ｒ９は水素原子又は炭素数１〜５のアルキル基である。
Ｒ２、Ｒ２’、Ｒ２”、Ｒ３、Ｒ３’、及びＲ８において、アルキル基、アルケニル基、アラルキル基、アリール基は置換基を有していても良い。
ａは１〜１８の整数、ｂは１〜５の整数、ｃは１〜１８の整数を示す。］
【請求項１５】
請求項８〜１３のいずれかに記載のカラーフィルタ用ネガ型レジスト組成物、又は請求項１４に記載の製造方法により得られたカラーフィルタ用ネガ型レジスト組成物を用いて形成されてなる着色層を有することを特徴とするカラーフィルタ。
【請求項１６】
請求項１５に記載のカラーフィルタを有することを特徴とする液晶表示装置。